(57)【特許請求の範囲】
【請求項１】
バックルとこれの先端表面部に対する遠近方向で揺動自在な留めピンとからなる留め具が備えられた留め具付きベルトを支持部材に対して縦姿勢で吊り下げ保持する陳列用吊り下げ具であって、
前記支持部材に対して掛止可能な支持部材用掛止部と、前記留め具を表側で掛止可能なベルト用掛止部とが備えられ、
前記ベルト用掛止部を構成するのに、
前記バックルの内部に挿通可能な差込み片部が下方側に形成され、前記差込み片部の表側には、前記バックルを表側から引っ掛け操作可能な引っ掛け部と、差込み片部の表面との間で前記留めピンを縦姿勢又は略縦姿勢に抱え込み保持可能な抱え込み空間を形成するループ状の抱え込み片部とが形成されているとともに、
前記差込み片部には、前記留めピンが前記抱え込み空間において縦姿勢又は略縦姿勢となる状態まで差込み片部の裏側から留めピンを抱え込み空間に進入させる進入部が形成され、
前記差込み片部が、可撓性を備える素材から構成され、
前記進入部が、前記留めピンの直径よりも小なる幅の切り欠き又は切り込みを前記差込み片部の外周辺部から延設して構成されている陳列用吊り下げ具。
【請求項２】
前記差込み片部には、前記留めピンの直径と同幅又はそれよりも大なる幅の留めピン挿入口部が前記切り欠き又は切り込みに連なる形態で開口形成されている請求項１記載の陳列用吊り下げ具。
【請求項３】
前記留めピン挿入口部が、前記抱え込み片部よりも上方側部位に形成されている請求項２記載の陳列用吊り下げ具。
【請求項４】
前記抱え込み片部と前記進入部との組が、複数組備えられている請求項１〜３のいずれか１項に記載の陳列用吊り下げ具。
【発明の詳細な説明】
【技術分野】
【０００１】
本発明は、陳列用吊り下げ具に関する。詳しくは、例えば、図１、図９、図１４に示すように、バックルｂ２とこれの先端表面部に対する遠近方向で揺動自在な留めピンｂ３とからなる留め具ｂ１が備えられた留め具付きベルトＢを支持部材Ｍに対して縦姿勢で吊り下げ保持する陳列用吊り下げ具に関する。
【背景技術】
【０００２】
この種の陳列用吊り下げ具１には（図１、図９、図１４を参照）、支持部材Ｍに対して掛止可能な支持部材用掛止部３と、前記留め具ｂ１を表側で掛止可能なベルト用掛止部４とが備えられている。
【０００３】
また、前記ベルト用掛止部４を構成するのに、前記バックルｂ２の内部に挿通可能な差込み片部６が下方側に形成されているとともに、差込み片部６の表側には、バックルｂ２を表側から引っ掛け操作可能な引っ掛け部７と、差込み片部６の表面との間で前記留めピンｂ３を縦姿勢又は略縦姿勢に抱え込み保持可能な抱え込み空間Ｓを形成するループ状の抱え込み片部８が形成されている。
【０００４】
すなわち、当該陳列用吊り下げ具１は、前記抱え込み片部８に前記バックルｂ２を引っ掛け、且つ、前記留めピンｂ３を抱え込み空間Ｓに抱え込み保持させた状態で、留めピンｂ３の表側への移動を留めピンｂ３と前記抱え込み片部８の内面との接当により規制するとともに、バックルｂ２の表側への移動をバックルｂ２と留めピンｂ３との接当により規制し、これにより、バックルｂ２の引っ掛け部７からの離脱を防止する。
【０００５】
したがって、当該陳列用吊り下げ具１は、留め具付きベルトＢが不測に外れることを防止しながらも、留め具付きベルトＢの購入者が留め具ｂ１を確認することができる状態（すなわち、留め具ｂ１が陳列用吊り下げ具１の表側にある状態）で留め具付きベルトＢを支持部材に対して吊り下げ保持することができる。
【０００６】
そして、従来、図１１〜図１４に示すように、前記差込み片部６を横軸芯周りで裏側に折り曲げるための折り曲げ用溝部１３が、差込み片部６における前記抱え込み片部８の上方側に形成されたものが知られている。
【０００７】
つまり、この従来の陳列用吊り下げ具では、以下のような方法で、前記ベルト用掛止部４に対して留め具ｂ１を掛止していた。
【０００８】
まず、図１１に示すように、バックルｂ２の裏側から差込み片部６をバックルｂ２の内部に挿通させる。次に、図１２に示すように、差込み片部６を折り曲げ溝部１３が形成された部分を支点として裏側に折り曲げる。その後、図１３に示すように、差込み片部６を折り曲げ姿勢に保持しながら抱え込み空間Ｓに留めピンｂ３を差し込む。そして、図１４に示すように、抱え込み片部８にバックルｂ２を引っ掛けつつ、留めピンｂ３を抱え込み空間Ｓに抱え込み保持させる。
【発明の開示】
【発明が解決しようとする課題】
【０００９】
ところが、上記の如き従来の陳列用吊り下げ具では、差込み片部６を折り曲げ姿勢に保持しながら、留めピンｂ３を抱え込み空間Ｓに差し込むのが非常に難しいため、ベルト用掛止部４に対して留め具ｂ１を掛止するのに相当の手間と時間がかかる問題があった。
【００１０】
また、ベルト用掛止部４に対して留め具ｂ２を掛止するのに、差込み片部６を大きく折り曲げるため、留め具ｂ２の掛止操作によって差込み片部６の強度が低下して、差込み片部６が破損し易くなる問題もあった。
【００１１】
本発明は、上述の実情に鑑みて為されたものであって、その主たる課題は、留め具付きベルトを簡単且つ短時間で掛止することができるとともに、使用耐久性にも優れた陳列用吊り下げ具を提供する点にある。
【課題を解決するための手段】
【００１２】
本発明の第１特徴構成は、陳列用吊り下げ具に係り、その特徴は、
バックルとこれの先端表面部に対する遠近方向で揺動自在な留めピンとからなる留め具が備えられた留め具付きベルトを支持部材に対して縦姿勢で吊り下げ保持する陳列用吊り下げ具であって、
前記支持部材に対して掛止可能な支持部材用掛止部と、前記留め具を表側で掛止可能なベルト用掛止部とが備えられ、
前記ベルト用掛止部を構成するのに、
前記バックルの内部に挿通可能な差込み片部が下方側に形成され、前記差込み片部の表側には、前記バックルを表側から引っ掛け操作可能な引っ掛け部と、差込み片部の表面との間で前記留めピンを縦姿勢又は略縦姿勢に抱え込み保持可能な抱え込み空間を形成するループ状の抱え込み片部とが形成されているとともに、
前記差込み片部には、前記留めピンが前記抱え込み空間において縦姿勢又は略縦姿勢となる状態まで差込み片部の裏側から留めピンを抱え込み空間に進入させる進入部が形成され、
前記差込み片部が、可撓性を備える素材から構成され、
前記進入部が、前記留めピンの直径よりも小なる幅の切り欠き又は切り込みを前記差込み片部の外周辺部から延設して構成されている点にある。
【００１３】
上記構成によれば、バックルの裏側から差込み片部をバックルの内部に挿通させた後、前記進入部を通じて差込み片部の裏側から留めピンを抱え込み空間に進入させる形態で、抱え込み片部にバックルを引っ掛けつつ、留めピンを抱え込み空間に抱え込み保持させることができる。
【００１４】
したがって、前述の従来技術で説明した折り曲げ用溝部や差込み片部の折り曲げ操作を不存とすることができて、前記ベルト用掛止部に対し留め具を係止させる際の手間の省力化と時間の短縮化とを効果的に達成することができるとともに、使用耐久性も効果的に高めることができる。
【００１６】
さらに、差込み片部の可撓性によって、前記切り欠き又は切り込みを前記留めピンで押し広げる形態で留めピンを前記抱え込み空間に進入させることができる。
【００１７】
したがって、前記切り欠き又は切り込みを通じて差込み片部の裏側から留めピンを抱え込み空間に進入させることができながらも、抱え込み空間に抱え込んだ留めピンが前記切り欠きや切り込みを通じ抱え込み空間から離脱することを効果的に抑止することができる。
【００１８】
本発明の第２特徴構成は、第１特徴構成の実施に好適な構成であり、その特徴は、
前記差込み片部には、前記留めピンの直径と同幅又はそれよりも大なる幅の留めピン挿入口部が前記切り欠き又は切り込みに連なる形態で開口形成されている点にある。
【００１９】
上記構成によれば、前記バックルの裏側から前記差込み片部をバックルの内部に挿通させた後、前記進入部を通じて差込み片部の裏側から留めピンを抱え込み空間に進入させるのに先立って、留めピンのピン先端側部を前記留めピン挿通口部に挿入する形態で留めピンの一部を差込み片部の表側に移動させることができる。
【００２０】
そして、差込み片部の裏側にあるピン基端側部でもって前記切り欠き又は切り込みを押し広げる形態でピン基端側部を差込み片部の裏側に移動させることによって、留めピン全体を前記抱え込み空間に進入させることができる。
【００２１】
したがって、留めピンのピン先端側部及びピン基端側部の両方について、前記切り欠き又は切り込みを押し広げる形態で差込み片部の裏側に移動させる場合に比べ、抱え込み空間への留めピンの進入操作に要する労力を低減することができる。
【００２２】
本発明の第３特徴構成は、第２特徴構成の実施に好適な構成であり、その特徴は、
前記留めピン挿入口部が、前記抱え込み片部よりも上方側部位に形成されている点にある。
【００２３】
上記構成によれば、前記留めピン挿通口部に留めピンのピン先端側部を挿入する際に、留めピンの先端部が抱え込み片部の内面に当て付いたりする不具合を回避し易くすることができて、抱え込み空間への留めピンの進入操作に要する労力を一層低減することができる。
【００２４】
本発明の第４特徴構成は、第１〜第３特徴構成のいずれかの実施に好適な構成であり、その特徴は、
前記抱え込み片部と前記進入部との組が、複数組備えられている点にある。
【００２５】
つまり、留め具付きベルトの留め具にあっては、１つのバックルに対して複数の留めピンが備えられているものも存在するが、前記抱え込み片部と前記進入部との組が複数組備えられている上記構成によれば、各々の留めピンを各々の前記抱え込み空間で抱え込み保持することができる。
【発明を実施するための最良の形態】
【００２６】
［第１実施形態］
図３、図４は、例えば、図１、図２に示すように、紳士用や婦人用の留め具付きベルトＢを支持部材Ｍに対して縦姿勢で吊り下げ保持する陳列用吊り下げ具１を示す。当該留め具付きベルトＢのベルト一端部には、ベルト他端側部位に対して留め付けるための金属などからなる留め具ｂ１が設けられている。当該留め具ｂ１は、金属製などの環状のバックルｂ２とこれの先端表面部に対する遠近方向で揺動自在な留めピンｂ３とから構成されている。
【００２７】
前記陳列用吊り下げ具１は、合成樹脂製の縦長の板状部材から構成されている。当該陳列用吊り下げ具１の上下中間部には、商品の名称や金額（或いは、商品を特定するためのバーコード）を表示するための幅広の略長方形状の表示面部２が形成されている。
【００２８】
また、陳列用吊り下げ具１には、前記支持部材Ｍに対して掛止可能な支持部材用掛止部３と、前記留め具ｂ１を表側で掛止可能なベルト用掛止部４が備えられている。
【００２９】
前記支持部材用掛止部３を構成するのに、前記陳列用吊り下げ具１の上方側には、前記支持部材Ｍに引っ掛け操作可能なフック部５Ａを有するやや細幅のフック片部５が形成されている。また、フック片部５の上方側部位の表面及び裏面の各々には、使用者が指腹で把持操作するための正面視円形状の略すり鉢状の操作用凹部５ａが凹設されている。
【００３０】
前記ベルト用掛止部４を構成するのに、前記陳列用吊り下げ具１の下方側には、前記バックルｂ２の内部に挿通可能な差込み片部６が形成されている。当該差込み片部６の幅寸法は、バックルｂ２の内幅寸法よりも小なる寸法で構成されている。
【００３１】
また、前記差込み片部６の表側には、前記バックルｂ２を表側から引っ掛け操作可能な複数（本例では、３つ）の引っ掛け部７と、差込み片部６の表面との間で前記留めピンｂ３を縦姿勢又は略縦姿勢に抱え込み保持可能な抱え込み空間Ｓを形成する複数（本例では、３つ）のループ状の抱え込み片部８とが形成されている。本例において、前記引っ掛け部７は前記抱え込み片部８の上端部８ａから構成されている。
【００３２】
つまり、この陳列用吊り下げ具１は、図１、図２に示すように、前記抱え込み片部８に前記バックルｂ２を引っ掛け、且つ、前記留めピンｂ３を抱え込み空間Ｓに抱え込み保持させた状態で、留めピンｂ３の表側への移動を留めピンｂ３と抱え込み片部８の内面との接当により規制するとともに、バックルｂ２の表側への移動をバックルｂ２と留めピンｂ３との接当により規制し、これにより、バックルｂ２の引っ掛け部７からの離脱を防止する。
【００３３】
図３、図４に示すように、前記複数の抱え込み片部８は、前記差込み片部６の下辺部６ａの僅かに上方位置において差込み片部６の幅方向に沿って等間隔又は略等間隔とのなるように並べて配置されている。
【００３４】
つまり、この陳列用吊り下げ具１は、図１、図２に示すように、１つのバックルｂ２に対する留めピンｂ３の個数が変化する場合でも、留めピンｂ３の各々を前記抱え込み空間で抱え込み保持する形態で、留め具付きベルトＢをベルト用掛止部４で掛止することができる。
【００３５】
そして、前記差込み片部６には、前記留めピンｂ３が前記抱え込み空間Ｓにおいて縦姿勢又は略縦姿勢となる状態まで差込み片部６の裏側から留めピンｂ３を抱え込み空間Ｓに進入させる進入部９が形成されている。前記進入部９は、前記留めピンｂ３の直径よりも小なる幅の切り欠き９Ａを差込み片部６の下片部６ａ（差込み片部６の外周辺部の一例）から上方側に延設して構成されている。
【００３６】
また、前記差込み片部６には、前記留めピンｂ３の直径よりも大なる幅の留めピン挿入口部１０が前記切り欠きに連なる形態で開口形成されている。当該留めピン挿入口部１０は、前記抱え込み片部８の下端部から抱え込み片部８の上端部よりも上方に至る長穴から構成されている。
【００３７】
なお、１１は、前記差込み片部６が前記表示面部２に対して傾斜するのを許容するための脆弱用切り欠きである。また、１２は、例えば、前記留めピンに代えて留め付け用の係止凸部を備えた留め具などを有する留め具付きベルトを掛止させる場合に、その係止凸部を係入させるための被係止孔である。
【００３８】
次に、上述の如く構成された陳列用吊り下げ具１の使用方法について説明する。
まず、図５に示すように、バックルｂ２の裏側から差込み片部６をバックルｂ２の内部に横姿勢で差し込んで、差込み片部６をバックルｂ２に挿通する。次に、図６に示すように、留めピンｂ３のピン先端側部を留めピン挿通口部１０に裏側から挿入して、留めピンｂ３の一部を差込み片部６の表側に移動させる。
【００３９】
そして、図７に示すように、陳列用吊り下げ具１をバックルｂ２の上端側に近接させるように引き起こす。この引き起こし操作によって、図８に示すように、差込み片部６の裏側にあるピン基端側部でもって前記切り欠き９Ａが押し広げられる形態でピン基端側部が切り欠き９Ａを通過して差込み片部６の表側に移動する。
【００４０】
つまり、この引き起こし操作によって、留めピンｂ３全体を前記抱え込み空間Ｓに進入させることで、図１に示すように、抱え込み片部にバックルを引っ掛けつつ、留めピンを抱え込み空間に抱え込み保持させる。
【００４１】
なお、当該引き起こし操作の際、切り欠き９Ａの周縁部が留めピンｂ３を押圧することになるが、留めピンｂ３がバックルｂ２との接当で移動規制されているため、前記切り欠き９Ａの押し広げ変形が確実に行われる。
【００４２】
そして、図１に示すように、ベルト用掛止部４に対して留め具付きベルトＢを掛止させた陳列用吊り下げ具１のフック部５Ａを支持部材Ｍに引っ掛けて、留め具付きベルトＢを支持部材Ｍに対して縦姿勢で吊り下げ保持させる。
【００４３】
［第２実施形態］
前述の第１実施形態では、前記抱え込み片部６と前記進入部９との組が複数組備えられている場合を例に示したが、前記抱え込み片部６と前記進入部９との組が１組だけ備えられていてもよい。
【００４４】
すなわち、当該第２実施形態の陳列用吊り下げ具１では、図９、図１０に示すように、前記抱え込み片部８が、前記差込み片部６の下辺部６ａの僅かに上方位置において差込み片部６の幅方向の略中央位置に１つだけ配置されている。
【００４５】
また、前記進入部９を構成する前記切り欠き９Ａが、前記抱え込み片部８に対応して差込み片部６における下片部６ａの幅方向の略中央部位から上方側に延設して構成されている。
【００４６】
更に、前記複数（本例では、３つ）の留めピン挿入口部１０のうち、差込み片部６の幅方向外側に位置する留めピン挿入口１０ａが、切り込み９Ａとは独立した長穴から構成されている。
【００４７】
尚、その他の構成は、第１実施形態で説明した構成と同一であるから、同一の構成箇所には、第１実施形態と同一の番号を付記してそれの説明は省略する。
【００４８】
［その他の実施形態］
（１）前述の各実施形態では、前記進入部１０が、切り欠き９Ａから構成されている場合を例に示したが、単なる切り込みから構成されていてもよい。
【００４９】
前述の如く、進入部１０を切り込みから構成されている場合において、差込み片部６の表面から裏面に亘る状態で切り込みを貫通形成されていたり、或いは、差込み片部の表面又は裏面の一部分が薄く残る状態で形成されていたりしてもよい。
【００５２】
（２）前述の各実施形態では、前記差込み片部６が、バックルｂ２の内幅寸法よりも小なる幅寸法で構成されている場合を例に示したが、例えば、変形などにより前記バックルの内部に挿通可能であれば、バックルｂ２の内幅寸法よりも大なる幅寸法で構成されていてもよい。
【００５３】
（３）前述の各実施形態では、前記引っ掛け部７が抱え込み片部８の上端部から構成されている場合を例に示したが、抱え込み片部８とは別体から構成されていてもよい。
【００５４】
（４）前述の各実施形態では、前記留めピン挿入口部１０が、前記留めピンｂ３の直径よりも大なる幅で形成されている場合を例に示したが、留めピンｂ３の直径と同幅で形成されていてもよい。
【００５５】
（５）支持部材用掛止部３、抱え込み片部８の具体的構成は、前述の各実施形態で示した如き構成に限らず、種々の構成変更が可能である。
【図面の簡単な説明】
【００５６】
【図１】陳列用吊り下げ具の第１実施形態における使用状態を示す説明図
【図２】陳列用吊り下げ具の第１実施形態における使用状態を示す説明図
【図３】陳列用吊り下げ具の第１実施形態を示す正面図
【図４】陳列用吊り下げ具の第１実施形態を示す背面図
【図５】陳列用吊り下げ具の使用方法を示す説明図
【図６】陳列用吊り下げ具の使用方法を示す説明図
【図７】陳列用吊り下げ具の使用方法を示す説明図
【図８】陳列用吊り下げ具の使用方法を示す説明図
【図９】陳列用吊り下げ具の第２実施形態における使用状態を示す説明図
【図１０】陳列用吊り下げ具の第２実施形態を示す正面図
【図１１】従来の陳列用吊り下げ具の使用方法を示す説明図
【図１２】従来の陳列用吊り下げ具の使用方法を示す説明図
【図１３】従来の陳列用吊り下げ具の使用方法を示す説明図
【図１４】従来の陳列用吊り下げ具の使用方法を示す説明図
【符号の説明】
【００５７】
Ｍ          支持部材
Ｂ          留め具付きベルト
ｂ１        留め具
ｂ２        バックル
ｂ３        留めピン
３          支持部材用掛止部
４          ベルト用掛止部
６          差込み片部
７          引っ掛け部
Ｓ          抱え込み空間
８          抱え込み片部
９          進入部
９Ａ        切り欠き
１０        留めピン挿入口部
【図１】
0005255293.tif 000002
【図２】
0005255293.tif 000003
【図３】
0005255293.tif 000004
【図４】
0005255293.tif 000005
【図５】
0005255293.tif 000006
【図６】
0005255293.tif 000007
【図７】
0005255293.tif 000008
【図８】
0005255293.tif 000009
【図９】
0005255293.tif 000010
【図１０】
0005255293.tif 000011
【図１１】
0005255293.tif 000012
【図１２】
0005255293.tif 000013
【図１３】
0005255293.tif 000014
【図１４】
0005255293.tif 000015